(57)【特許請求の範囲】
【請求項１】
温水洗浄装置の内部において、
一方向に沿って位置し、一端及び他端を有するシリンダ部と、
前記シリンダ部の前記一端と前記他端との間に位置して前記シリンダ部を支持する操作部と、
前記シリンダ部の前記他端に位置してノズル構造体と前記ノズル構造体を覆うノズルカバーを有するノズルモジュールと、を含み、
前記シリンダ部は、前記一端と前記他端との間に位置して中空をそれぞれ限定する２つのシリンダを含み、
前記ノズル構造体とノズルカバーは、前記シリンダと連通する洗浄水流路を有し、
前記ノズル構造体は、順に積層される下部本体と上部本体を有し、前記下部本体と前記上部本体との間に前記洗浄水流路と交差する空間を有し、
前記下部本体は、前記洗浄水流路の両側部に第１貫通口と嵌合溝を有し、
前記第１貫通口と前記嵌合溝は、前記一方向に沿って順に位置することを特徴とするノズルアセンブリ。
【請求項２】
前記操作部は、
前記シリンダ部の前記一端に位置する流量調節部と、
前記流量調節部の下に位置するモータ駆動部と、
前記流量調節部と前記モータ駆動部との間に位置して前記シリンダ部の下に前記流量調節部から前記ノズルモジュールに向けて延長する滑走台と、
前記流量調節部の反対側で前記滑走台に固定され、前記ノズルモジュールを覆うノズル洗浄部と、を含むことを特徴とする請求項１に記載のノズルアセンブリ。
【請求項３】
前記流量調節部は互いに電気的に接続する第１モータと流量調節バルブを含み、前記温水洗浄装置の制御部を介して前記シリンダのうちの１つを選択し、そして前記温水洗浄装置周辺に水道栓から流入された水を前記シリンダのうちの前記１つに供給することを特徴とする請求項２に記載のノズルアセンブリ。
【請求項４】
前記モータ駆動部は互いに結合する第２モータ及びギアーを含み、前記温水洗浄装置の制御部を介して前記第２モータ及び前記ギアーを駆動させ、そして前記ギアーを介して前記第２モータの駆動力を前記シリンダ部と前記ノズルモジュールに伝達することを特徴とする請求項２に記載のノズルアセンブリ。
【請求項５】
前記滑走台は、前記モータ駆動部を介して前記一方向に沿って移動する前記シリンダ部をガイドすることを特徴とする請求項２に記載のノズルアセンブリ。
【請求項６】
前記操作部は前記流量調節部及び前記ノズル洗浄部と連通する洗浄水供給ラインをさらに含み、
前記ノズル洗浄部は前記洗浄水供給ラインを介して前記流量調節部から洗浄水を流入して前記ノズルモジュール上に前記洗浄水を吐出させることを特徴とする請求項２に記載のノズルアセンブリ。
【請求項７】
前記下部本体は、前記一方向に沿って順に位置して一体に形成される円柱及び半円柱からなることを特徴とする請求項１に記載のノズルアセンブリ。
【請求項８】
前記下部本体は、
前記円柱と前記半円柱に前記一方向に沿って、そして前記一方向に直角する方向に順に延長する第１流路を限定し、
前記第１流路を前記洗浄水流路としてそれぞれ有し、
前記第１流路の端部を前記空間に接するようにすることを特徴とする請求項７に記載のノズルアセンブリ。
【請求項９】
前記第１貫通口は、前記半円柱の丸面から前記半円柱の内部に向けて延長し、そして前記半円柱の前記内部から前記半円柱の平坦面に向けて延長して前記半円柱の前記平坦面を貫通することを特徴とする請求項７に記載のノズルアセンブリ。
【請求項１０】
前記嵌合溝は、前記第１貫通口上で前記半円柱の丸面から前記半円柱の内部に向けて延長することを特徴とする請求項７に記載のノズルアセンブリ。
【請求項１１】
前記上部本体は、
前記下部本体上に位置して馬鞍形状を有し、
前記一方向に直角する方向に形成される第２流路を限定し、
前記第２流路を前記洗浄水流路にそれぞれ有し、
前記第２流路の端部を前記空間に接するようにすることを特徴とする請求項８に記載のノズルアセンブリ。
【請求項１２】
前記第２流路は、前記上部本体の下部側か上部側に向けて狭くなる形状を有することを特徴とする請求項１１に記載のノズルアセンブリ。
【請求項１３】
前記第１流路で前記空間に接する開口面は、前記第２流路で前記空間に接する開口面よりも小さい大きさを有することを特徴とする請求項１１に記載のノズルアセンブリ。
【請求項１４】
前記上部本体は、前記洗浄水流路の両側部に嵌合突起と第２貫通口を有することを特徴とする請求項７に記載のノズルアセンブリ。
【請求項１５】
前記嵌合突起は、前記上部本体から突出して前記下部本体の前記嵌合溝にそれぞれ嵌合されることを特徴とする請求項１４に記載のノズルアセンブリ。
【請求項１６】
前記第２貫通口は、前記洗浄水流路と前記嵌合突起との間に位置して前記上部本体を貫通することを特徴とする請求項１４に記載のノズルアセンブリ。
【請求項１７】
前記ノズルカバーは、
洗浄水噴射孔と空気流入孔を限定し、
前記洗浄水噴射孔を前記洗浄水流路にそれぞれ有し、
前記空気流入孔を前記洗浄水流路の周辺に有することを特徴とする請求項１に記載のノズルアセンブリ。
【発明の詳細な説明】
【技術分野】
【０００１】
本発明の実施例は温水洗浄装置に関し、詳しくは、温水洗浄装置内のノズルアセンブリ（ＮＯＺＺＬＥ  ＡＳＳＥＭＢＬＹ  ＩＮ  ＢＩＤＥＴ）に関する。
【背景技術】
【０００２】
一般的にビデ（ｂｉｄｅｔ）は、宿泊施設又は一般家庭においてトイレの座便器上に位置して便座装置として用いられている。このビデは、使用者の用便後にノズルアセンブリを介して使用者の肛門及び／又はその周辺に温水を噴射させて用便の後に使用者の身体の汚れを除去するように構成される。
【０００３】
この場合、前記ノズルアセンブリは、互いに結合する流量調節バルブ、シリンダ、及びノズルチップを有する。前記シリンダは、流量調節バルブから洗浄水を流入してノズルチップに伝達する。前記ノズルチップは第１ノズルチップと第２ノズルチップとに区分して説明することができる。
【０００４】
前記第１ノズルチップは、シリンダの先端にそれぞれ位置し、シリンダに部分的に充填されるようにシリンダに格納される。前記シリンダと第１ノズルチップが洗浄水流れ経路を有するので、前記第１ノズルチップは、シリンダ中央領域から内部の洗浄水流れ経路を通る洗浄水をシリンダの先端に再び流入させることができる。
【０００５】
また、前記第１ノズルチップは、洗浄水流れ経路とともに空気流れ経路を有する。よって、前記第１ノズルチップは、ベルヌーイの原理に基づいて、洗浄水流れ経路及び／又はシリンダの先端内の洗浄水の速度を利用して空気流れ経路を通して外部空気をシリンダの先端に継続的に流入させることができる。
【０００６】
これにより、前記第１ノズルチップは、シリンダの先端で洗浄水に空気を混入させ、かつ前記シリンダは第１ノズルチップを用いて空気混入洗浄水を使用者に噴射させることができる。この第１ノズルチップについては、特許文献１に詳しく開示されている。
【０００７】
これとは違って、前記ノズルアセンブリが、使用者のビデ使用間に使用者の身体が用便関連の汚れにより汚染されるので、前記第２ノズルチップは使用寿命後にシリンダから分離可能なように、シリンダの先端でシリンダを囲むことができる。
【０００８】
前記第２ノズルチップについては、特許文献２に詳しく開示されている。しかし、前記第１ノズルチップを利用する場合、前記シリンダは先端において限界体積を有するので、洗浄水に空気の混入率を小さく有する。そのために、前記シリンダは使用者の肛門及び／又は局所周辺にマッサージ効果を十分に与えることができない。
【０００９】
また、前記第１ノズルチップ又は第２ノズルチップを利用する場合、前記シリンダは使用者の肛門及び／又は局所周辺に第１ノズルチップ又は第２ノズルチップを直接露出させるので、第１ノズルチップ又は第２ノズルチップの使用寿命を不規則とする。
【先行技術文献】
【特許文献】
【００１０】
【特許文献１】大韓民国登録実用新案公報第２０−０４３２０６８号
【特許文献２】大韓民国特許出願公開第１０−２００９−０１２７７０８号
【発明の概要】
【発明が解決しようとする課題】
【００１１】
本発明が解決しようとする技術的課題は、温水洗浄装置内においてシリンダ周辺に位置し、シリンダからそれぞれ延長する洗浄水及び空気の流路を単純化させ、洗浄水と空気の流路を所定空間に限定させ、さらに温水洗浄装置の使用者に洗浄水のマッサージ効果を十分に与えるのに適合するノズルアセンブリを提供することにある。
【００１２】
本発明が解決しようとする他の技術的課題は、上記の技術的課題に限定せず、ここで言及されない他の技術的課題は以下の説明から当業者が十分理解することができる。
【課題を解決するための手段】
【００１３】
本発明の実施形態に係る温水洗浄装置内のノズルアセンブリが提供される。前記ノズルアセンブリは、温水洗浄装置の内部において、一方向に沿って位置して一端及び他端を有するシリンダ部と、前記シリンダ部の前記一端と前記他端との間に位置して前記シリンダ部を支持する操作部と、前記シリンダ部の前記他端に位置してノズル構造体と前記ノズル構造体を覆うノズルカバーを有するノズルモジュールとを含み、前記シリンダ部は前記一端と前記他端との間に位置して中空をそれぞれ限定する２つのシリンダを含み、前記ノズル構造体とノズルカバーは前記シリンダと連通する洗浄水流路を有し、前記ノズル構造体は順に積層される下部本体と上部本体を有し、前記下部本体と前記上部本体との間に前記洗浄水流路と交差する空間を有する。
【００１４】
前記操作部は、前記シリンダ部の前記一端に位置する流量調節部、前記流量調節部の下に位置するモータ駆動部、前記流量調節部と前記モータ駆動部との間に位置して前記シリンダ部の下に前記流量調節部から前記ノズルモジュールに向けて延長する滑走台、及び前記流量調節部の反対側で前記滑走台に固定され、前記ノズルモジュールを覆うノズル洗浄部を含む。
【００１５】
前記流量調節部は、互いに電気的に接続する第１モータと流量調節バルブを含み、前記温水洗浄装置の制御部を介して前記シリンダのうちの１つを選択し、そして前記温水洗浄装置周辺に水道栓から流入された水を前記シリンダのうちの前記１つに供給する。
【００１６】
前記モータ駆動部は、互いに結合する第２モータ及びギアーを含み、前記温水洗浄装置の制御部を介して前記第２モータ及び前記ギアーを駆動させ、そして前記ギアーを介して前記第２モータの駆動力を前記シリンダ部と前記ノズルモジュールに伝達する。
【００１７】
前記滑走台は、前記モータ駆動部を介して前記一方向に沿って移動する前記シリンダ部をガイドする。
【００１８】
前記操作部は前記流量調節部及び前記ノズル洗浄部と連通する洗浄水供給ラインをさらに含み、前記ノズル洗浄部は前記洗浄水供給ラインを介して前記流量調節部から洗浄水を流入して前記ノズルモジュール上に前記洗浄水を吐出させる。
【００１９】
前記下部本体は、前記一方向に沿って順に位置して一体に形成される円柱及び半円柱からなる。
【００２０】
前記下部本体は、前記円柱と前記半円柱に前記一方向に沿って、そして前記一方向と直角する方向に順に延長する第１流路を限定し、前記第１流路を前記洗浄水流路にそれぞれ有し、前記第１流路の端部を前記空間に接するようにする。
【００２１】
前記下部本体は、前記半円柱において前記洗浄水流路の両側部に第１貫通口と嵌合溝を有し、前記第１貫通口と前記嵌合溝は前記半円柱から前記一方向に直角する方向に順に位置する。
【００２２】
前記第１貫通口は前記半円柱の丸面から前記半円柱の内部に向けて延長し、そして前記半円柱の前記内部から前記半円柱の平坦面に向けて延長して前記半円柱の前記平坦面を貫通する。
【００２３】
前記嵌合溝は、前記第１貫通口上において前記半円柱の丸面から前記半円柱の内部に向けて延長する。
【００２４】
前記上部本体は、前記下部本体上に位置して馬鞍形状を有し、前記一方向に直角する方向に形成される第２流路を限定し、前記第２流路を前記洗浄水流路にそれぞれ有し、前記第２流路の端部を前記空間に接するようにする。
【００２５】
前記第２流路は、前記上部本体の下部側か上部側に向けて狭くなる形状を有する。
【００２６】
前記第１流路で前記空間に接する開口面は前記第２流路で前記空間に接する開口面よりも小さい大きさを有する。
【００２７】
前記上部本体は、前記洗浄水流路の両側部に嵌合突起と第２貫通口を有する。
【００２８】
前記嵌合突起は、前記上部本体から突出して前記下部本体の前記嵌合溝にそれぞれ嵌合される。
【００２９】
前記第２貫通口は、前記洗浄水流路と前記嵌合突起との間に位置して前記上部本体を貫通する。
【００３０】
前記ノズルカバーは、洗浄水噴射孔と空気流入孔を限定し、前記洗浄水噴射孔を前記洗浄水流路にそれぞれ有し、前記空気流入孔を前記洗浄水流路の周辺に有する。
【発明の効果】
【００３１】
以上説明したように本発明によれば、前記温水洗浄装置内のノズルアセンブリにおいて、互いに結合する下部本体及び上部本体を含み、下部本体と上部本体との間に空間を設け、下部本体及び上部本体を利用してシリンダから延長する洗浄水流路を限定し、上部本体に洗浄水流路と空気流路とを結合させるノズル構造体をノズルモジュールに開示するので、前記ノズルアセンブリは、ノズルモジュールのノズル構造体内の下部本体と上部本体との間の空間で洗浄水流路に沿って洗浄水に空気をリアルタイムで混入させるので、洗浄水に対する空気混入率を従来技術よりも増加させることができる。
【００３２】
前記ノズルアセンブリは、ノズル構造体を覆うノズルカバーを備えてシリンダとともにノズル構造体及びノズルカバーの移動を連動させるので、従来技術に比べてノズル構造体の洗浄周期を増加させ、それとともに交換コストを節減することができる。
【００３３】
前記ノズルアセンブリは、ノズル構造体を覆うノズルカバーを備えてシリンダとともにノズル構造体及びノズルカバーの移動を連動させるので、従来技術に比べて使用寿命を規則化することができる。
【図面の簡単な説明】
【００３４】
【図１】本発明の実施形態に係る温水洗浄装置内のノズルアセンブリを示す斜視図である。
【図２】図１の「Ａ」領域を拡大してノズルアセンブリの第１方向からシリンダ部と、ノズルモジュール内のノズル構造体を示す分解斜視図である。
【図３】図１の「Ａ」領域を拡大してノズルアセンブリの第２方向からシリンダ部と、ノズルモジュール内のノズル構造体を示す分解斜視図である。
【図４】図１の「Ａ」領域を拡大してノズルアセンブリの第２方向からシリンダ部と、ノズルモジュール内のノズル構造体を示す結合斜視図である。
【図５】図１のノズルアセンブリの第２方向から図４のノズルモジュール内のノズル構造体を示す斜視図である。
【図６】図１のノズルアセンブリの第２方向から図４のノズルモジュールを示す斜視図である。
【図７】図１のノズルアセンブリの第２方向の反対側から図４のノズルモジュールを示す斜視図である。
【図８】本発明の実施形態に係る温水洗浄装置で図１のノズルアセンブリの動作を説明する概路図である。
【図９】本発明の実施形態に係る温水洗浄装置で図１のノズルアセンブリの動作を説明する概路図である。
【図１０】本発明の実施形態に係る温水洗浄装置で図１のノズルアセンブリの動作を説明する概路図である。
【図１１】本発明の実施形態に係る温水洗浄装置で図１のノズルアセンブリの動作を説明する概路図である。
【図１２】本発明の実施形態に係る温水洗浄装置で図１のノズルアセンブリの動作を説明する概路図である。
【発明を実施するための形態】
【００３５】
まず、本発明の実施形態に係る温水洗浄装置内のノズルアセンブリは、図１ないし図７を参照して詳細に説明する。
【００３６】
図１は、本発明の実施形態に係る温水洗浄装置内のノズルアセンブリを示す斜視図である。
【００３７】
図１を参照すると、本発明の実施形態に係るノズルアセンブリ１２０は図８の温水洗浄装置１４０に備えられる。前記ノズルアセンブリ１２０は、温水洗浄装置１４０の内部において、操作部５０、シリンダ部６０、及びノズルモジュール１１０を含む。前記ノズルアセンブリ１２０を概略的に説明すると、前記操作部５０はシリンダ部６０周辺に位置し、シリンダ部６０に固定される。
【００３８】
前記操作部５０は、シリンダ部６０の一端と他端との間に位置し、シリンダ部６０を支持する。前記シリンダ部６０は温水洗浄装置１４０において一方向に沿って位置され、一端及び他端を有する。前記シリンダ部６０は一端と他端との間に位置し、中空をそれぞれ限定する２つのシリンダ６２、６４を含む。前記ノズルモジュール１１０はシリンダ部６０の他端に位置する。
【００３９】
前記ノズルアセンブリ１２０をさらに詳細に説明すると、前記操作部５０は、流量調節部３４、モータ駆動部３８、滑走台４４、及びノズル洗浄部４８を含む。この場合、前記流量調節部３４は、シリンダ部６０の一端に位置する。前記流量調節部３４は、互いに電気的に接続する第１モータと流量調節バルブ（図示せず）を含む。
【００４０】
前記流量調節部３４は、温水洗浄装置１４０の制御部１３０を介してシリンダ６２、６４のうちの１つを選択し、そして、温水洗浄装置１４０周辺に水道栓（図示せず）から流入した水をシリンダ６２、６４のうちの１つに供給する。前記モータ駆動部３８は流量調節部３４の下に位置する。前記モータ駆動部３８は互いに結合する第２モータ及びギアー（図示せず）を含む。
【００４１】
前記モータ駆動部３８は、温水洗浄装置１４０の制御部１３０を介して第２モータ及びギアーを駆動させ、そしてギアーを介して第２モータの駆動力をシリンダ部６０とノズルモジュール１１０に伝達する。前記滑走台４４は流量調節部３４とモータ駆動部３８との間に位置し、シリンダ部６０の下で流量調節部３４からノズルモジュール１１０に向けて延長する。
【００４２】
前記滑走台４４は、モータ駆動部３８を介して温水洗浄装置１４０において一方向に沿って移動するシリンダ部６０をガイドする。前記ノズル洗浄部４８は、流量調節部３４の反対側で滑走台４４に固定されてノズルモジュール１１０を覆う。前記シリンダ部６０は流量調節部３４から洗浄水を流入してシリンダ６２、６４を介して洗浄水をノズルモジュール１１０に供給する。前記ノズルモジュール１１０については、図２ないし図７で詳細に説明する。
【００４３】
前記操作部５０は、流量調節部３４及びノズル洗浄部４８と連通する洗浄水供給ラインＬをさらに含む。前記ノズル洗浄部４８は洗浄水供給ラインＬを介して流量調節部３４から洗浄水を流入してノズルモジュール１１０上に洗浄水を吐出させる。
【００４４】
図２は、図１の「Ａ」領域を拡大してノズルアセンブリの第１方向からシリンダ部と、ノズルモジュール内のノズル構造体を示す分解斜視図である。
【００４５】
図２を参照すると、本発明の実施形態に係る図８の温水洗浄装置１４０内のノズルアセンブリ１２０において、前記ノズルモジュール１１０はノズル構造体９０を含む。前記ノズル構造体９０は順に積層される下部本体７０と上部本体８０を含む。前記ノズル構造体９０は下部本体７０と上部本体８０においてノズルアセンブリ１２０内のシリンダ部６０のシリンダ６２、６４と連通する内部洗浄水流路（図示せず）を有する。
【００４６】
そのために、前記下部本体７０は温水洗浄装置１４０で一方向に沿って順に位置して一体に形成される円柱及び半円柱からなる。前記下部本体７０は円柱と半円柱に一方向に沿って、そして一方向に直角する方向に順に延長する第１流路Ｐ１を限定し、第１流路Ｐ１を内部洗浄水流路としてそれぞれ有する。
【００４７】
前記第１流路Ｐ１は入水口７３、７４と出水口７７、７９を有する。前記上部本体８０は下部本体７０上に位置して馬鞍形状を有する。前記上部本体８０は一方向に直角する方向に形成される第２流路Ｐ２を限定し、第２流路Ｐ２を内部洗浄水流路としてそれぞれ有する。前記第２流路Ｐ２は上部本体８０に吐出孔８３、８５をそれぞれ有する。
【００４８】
前記吐出孔８３、８５は上部本体８０を貫通する。さらに詳細に下部本体７０と上部本体８０の構造を説明すると、前記下部本体７０は半円柱として内部洗浄水流路、例えば、第１流路Ｐ１の両側部に第１貫通口７５と嵌合溝７６を有する。前記第１貫通口７５と嵌合溝７６は半円柱から一方向に直角する方向に順に位置する。
【００４９】
前記第１貫通口７５は、半円柱の丸面から半円柱の内部に向けて延長し、そして半円柱の内部から半円柱の平坦面に向けて延長して半円柱の平坦面を貫通する。前記嵌合溝７６は、第１貫通口７５上において半円柱の丸面から半円柱の内部に向けて延長する。一方、前記上部本体８０は内部洗浄水流路、例えば、第２流路Ｐ２の両側部に嵌合突起８７と第２貫通口８９を有する。
【００５０】
前記嵌合突起８７は、上部本体８０から突出して上部本体８０の中心領域に向けて屈曲をそれぞれ有する。前記第２貫通口８９は、内部洗浄水流路、例えば、第２流路Ｐ２と嵌合突起８７との間に位置して上部本体８０を貫通する。
【００５１】
図３は、図１の「Ａ」領域を拡大してノズルアセンブリの第２方向からシリンダ部と、ノズルモジュール内のノズル構造体を示す分解斜視図である。
【００５２】
図３を参照すると、本発明の実施形態に係るノズルアセンブリ１２０において、前記シリンダ部６０は、シリンダ６２、６４を有しながらシリンダ６２、６４を下部本体７０に向けて開口する開口孔６６、６８を有する。前記シリンダ６２、６４の開口孔６６、６８は、図２における第１流路Ｐ１の入水口７３、７４にそれぞれ整列される。
【００５３】
前記下部本体７０はシリンダに向けて延長する連結部７１を有する。前記連結部７１はシリンダ部６０の締結溝６９にそれぞれ整列される。
【００５４】
図４は、図１の「Ａ」領域を拡大してノズルアセンブリの第２方向からシリンダ部と、ノズルモジュール内のノズル構造体を示す結合斜視図である。
【００５５】
図４を参照すると、本発明の実施形態に係るノズルアセンブリ１２０において、前記上部本体８０の嵌合突起８７は下部本体７０の嵌合溝７６に接触して下部本体７０の嵌合溝７６に嵌合結合される。この場合、前記下部本体７０と上部本体８０は内部洗浄水流路、例えば、図２の第１流路Ｐ１と第２流路Ｐ２との間に位置して第１流路Ｐ１と第２流路Ｐ２と交差する空間Ｓを有する。
【００５６】
前記第１流路Ｐ１と第２流路Ｐ２は下部本体７０と上部本体８０との間で空間Ｓに開口される。前記上部本体８０は、吐出孔８３、８５を介して下部本体７０と上部本体８０との間の空間Ｓを上部本体８０の外部に露出させる。この場合、前記下部本体７０の連結部７１は、シリンダ部６０の締結溝６９にそれぞれ接触されてシリンダ部６０の締結溝６９に融着される。
【００５７】
前記下部本体７０の丸柱はシリンダ部６０の他端に接触される。前記下部本体７０の丸柱と、シリンダ部６０の他端は同一接触面積を有し、互いに対向して密着される。前記第１流路Ｐ１は、図３の開口孔６６、６８を介してシリンダ６２、６４とそれぞれ連通する。
【００５８】
図５は、図１のノズルアセンブリの第２方向から図４のノズルモジュール内のノズル構造体を示す断面図である。
【００５９】
図５を参照すると、本発明の実施形態に係るノズルアセンブリ１２０において、前記ノズル構造体９０は下部本体７０において図２の第１流路Ｐ１を細分する第１上部流路Ｐ１１と第１下部流路Ｐ１２を有する。前記第１上部流路Ｐ１１と第１下部流路Ｐ１２は入水口７３、７４から出水口７７、７９に向けて延長する。
【００６０】
また、前記ノズル構造体９０は上部本体８０において図２の第２流路Ｐ２を細分する第２左側流路Ｐ２１と第２右側流路Ｐ２２を有する。前記第２左側流路Ｐ２１と前記第２右側流路Ｐ２２は第１上部流路Ｐ１１と第１下部流路Ｐ１２にそれぞれ整列される。この場合、前記下部本体７０と上部本体８０は第１上部流路Ｐ１１と第１下部流路Ｐ１２、そして第２左側流路Ｐ２１と第２右側流路Ｐ２２との間に空間Ｓを有する。
【００６１】
さらに詳しく説明すると、前記第１上部流路Ｐ１１と第１下部流路Ｐ１２、そして第２左側流路Ｐ２１と第２右側流路Ｐ２２は、下部本体７０と上部本体８０との間の空間Ｓに向けて開口される。前記第２左側流路Ｐ２１と第２右側流路Ｐ２２は空間Ｓから吐出孔８３、８５に向けて延長する。前記第２左側流路Ｐ２１と第２右側流路Ｐ２２は下部側から上部側に向けて漸進的に狭くなる形状を有する。
【００６２】
前記第１上部流路Ｐ１１と第１下部流路Ｐ１２から空間Ｓに接する開口面は第２左側流路Ｐ２１と第２右側流路Ｐ２２から空間Ｓに接する開口面よりも小さい大きさを有する。
【００６３】
図６は、図１のノズルアセンブリの第２方向から図４のノズルモジュールを示す斜視図である。
【００６４】
図６を参照すると、本発明の実施形態に係るノズルアセンブリ１２０において、前記ノズルモジュール１１０はノズル構造体９０を覆うノズルカバー１００を含む。前記ノズルカバー１００はノズル構造体９０の内部洗浄水流路上で吐出孔８３、８５にそれぞれ整列される洗浄水噴射孔１０３、１０６を限定する。前記洗浄水噴射孔１０３、１０６はノズルカバー１００を貫通する。
【００６５】
前記ノズルカバー１００の洗浄水噴射孔１０３、１０６は外部洗浄水流路を構成する。前記内部及び外部洗浄水流路はノズルモジュール１１０に洗浄水流路を構成する。
【００６６】
図７は、図１のノズルアセンブリの第２方向の反対側から図４のノズルモジュールを示す斜視図である。
【００６７】
図７を参照すると、本発明の実施形態に係るノズルアセンブリ１２０において、前記ノズルモジュール１１０はノズルカバー１００で図６の洗浄水噴射孔１０３、１０６周辺に空気流入孔１０９を有する。さらに詳しく説明すると、前記空気流入孔１０９は洗浄水噴射孔１０３、１０６の反対側に位置する。前記ノズルカバー１００は空気流入孔１０９を介してノズル構造体９０を露出させる。
【００６８】
図８ないし図１２は、本発明の実施形態に係る温水洗浄装置において図１のノズルアセンブリの動作を説明する概路図である。ここでは、前記温水洗浄装置１４０はトイレの配電盤（図示せず）と電気的に接続され、そして温水洗浄装置１４０の使用者が便座上に腰を下ろしていると仮定する。
【００６９】
図８ないし図１２を参照すると、本発明の温水洗浄装置１４０は、給水バルブ１０、温水タンク２０、ノズルアセンブリ１２０と制御部１３０を図８のように含む。前記制御部１３０は、給水バルブ１０、温水タンク２０及びノズルアセンブリ１２０と電気的に接続する。前記給水バルブ１０は温水洗浄装置１４０の周辺に位置する水道栓から水を流入して温水タンク２０に水を供給することができる。
【００７０】
前記給水バルブ１０は制御部１３０の電気信号に基づいて水の流れ（量及び／又は圧力）を調節することができる。前記温水タンク２０は、給水バルブ１０を介して水を流入し、そして制御部１３０の電気信号に基づいて加熱部材（図示せず）を利用して水を加熱して洗浄水を形成することができる。前記温水タンク２０は、洗浄水をノズルアセンブリ１２０の流量調節部３４に供給することができる。
【００７１】
前記ノズルアセンブリ１２０において、前記流量調節部３４は制御部１３０の電気信号に基づいて第１モータを駆動して流量調節バルブを作動させる。前記流量調節バルブはシリンダ部６０のシリンダ６２、６４のうちの１つを選択することができる。続いて、前記流量調節部３４は、流量調節バルブによりシリンダ６２、６４のうちの選択された１つに洗浄水を供給することができる。
【００７２】
前記洗浄水はシリンダ６２、６４のうちの選択された１つを流れ、そして流量調節部３４の反対側でシリンダ６２、６４と連通するノズルモジュール１１０に伝達される。前記ノズルモジュール１１０は内部洗浄水流路のうちの１つを洗浄水で継続的に埋め込むことができる。
【００７３】
この場合、図９によれば、前記洗浄水は、ノズルモジュール１１０のノズル構造体９０において、例えば、下部本体７０の入水口７３、７４と出水口７７、７９との間の第１上部流路Ｐ１１又は第1下部流路Ｐ１２から第１流線Ｆ１又は第２流線Ｆ２に沿って流れる。前記洗浄水は、下部本体７０の出水口７７、７９において下部本体７０と上部本体８０との間の空間Ｓと接触することができる。
【００７４】
また、図１０によれば、前記ノズルモジュール１１０は、ノズルカバー１００の空気流入孔１０９を利用してノズル構造体９０を、ノズルカバー１００を覆う空気に露出させることができる。前記空気は第３流線Ｆ３にしたがってノズルカバー１００の外部から空気流入孔１０９を経由してノズルカバー１００の内部に流れることができる。
【００７５】
続いて、図１１によれば、前記洗浄水は、下部本体７０の出水口７９から下部本体７０と上部本体８０との間の空間Ｓを経由して第４流線Ｆ４に沿って上部本体８０の第２右側流路Ｐ２２を埋め込むことができる。一方、前記空気はノズルカバー１００の空気流入孔１０９から下部本体７０と上部本体８０との間の空間Ｓを経由して第５流線Ｆ５に沿って第２右側流路Ｐ２２に流入される。
【００７６】
続いて、前記空気は下部本体７０の第１貫通口７５から下部本体７０と上部本体８０との間の空間Ｓを経由して第５流線Ｆ５に沿って第２右側流路Ｐ２２に流入されることができる。これにより、前記空気は下部本体７０と上部本体８０との間の空間Ｓにおいて洗浄水とリアルタイムに混入されることができる。
【００７７】
さらに詳しく説明すると、前記洗浄水は、第１下部流路Ｐ１２及び第２右側流路Ｐ２２に沿って流れながら下部本体７０と上部本体８０との間の空間Ｓに「ベルヌーイの原理」を満足させる環境（速度と圧力との関係）を造成し、そして前記空気は下部本体７０と上部本体８０との間の空間Ｓにおいて洗浄水の流跡を囲まれ、そして洗浄水の流跡に沿って洗浄水と接触する。
【００７８】
前記洗浄水の流跡は、流量調節部３４のシリンダの選択と係って下部本体７０と上部本体８０との間の空間Ｓで断続的に現れる。よって、前記洗浄水の流跡も洗浄水流路を形成するのに寄与する。前記洗浄水と空気の流れは下部本体７０の第１上部流路Ｐ１１と上部本体８０の第２左側流路Ｐ２１に対しても同一に説明することができる。
【００７９】
再び図８に戻って、前記ノズルアセンブリ１２０は制御部１３０の電気信号に基づいてモータ駆動部３８の第２モータを駆動してギアーを回転させることができる。前記ギアーはベルトを用いてシリンダ部６０と結合されている。前記ギアーの回転は、温水洗浄装置１４０内の一方向Ｄにしたがってシリンダ部６０を移動させることができる。この場合、前記シリンダ部６０は滑走台４４に沿って移動することができる。
【００８０】
前記ノズルモジュール１１０は滑走台４４上においてノズル洗浄部４８を出入りすることができる。これにより、前記ノズルモジュール１１０は、温水洗浄装置１４０から突出して外部に露出することができる。前記ノズルモジュール１１０は、温水洗浄装置１４０の外部において温水洗浄装置１４０の使用者下に位置し、そして図１２のノズル構造体９０の吐出孔８３、８５とノズルカバー１００の洗浄水噴射孔１０３、１０６を介して第６流線Ｆ６又は第７流線Ｆ７に沿って使用者の肛門又は局所に空気混入洗浄水を噴射させることができる。
【００８１】
使用者の必要に応じて、前記ノズル洗浄部４８は、流量調節部３４と洗浄水供給ラインＬを用いて洗浄水を流入してノズルモジュール１１０に洗浄水を噴射させることができる。
【００８２】
以上、添付図面を参照して本発明の実施形態を説明したが、本発明が属する技術分野で通常の知識を有する者は、本発明がその技術的思想や必須な特徴を変更しなくても他の具体的な形態として実施されることができる。よって、以上で記述した実施形態はすべての面から例示的なものであって、限定的でないことを理解すべきである。
【符号の説明】
【００８３】
１０    給水バルブ
２０    温水タンク
３４    流量調節部
３８    モータ駆動部
４４    滑走台
４８    ノズル洗浄部
５０    操作部
６０    シリンダ部
７０    下部本体
８０    上部本体
９０    ノズル構造体
１００    ノズルカバー
１１０    ノズルモジュール
１２０    ノズルアセンブリ
１３０    制御部
１４０    温水洗浄装置
【図１】
0006028003.tif 000002
【図２】
0006028003.tif 000003
【図３】
0006028003.tif 000004
【図４】
0006028003.tif 000005
【図５】
0006028003.tif 000006
【図６】
0006028003.tif 000007
【図７】
0006028003.tif 000008
【図８】
0006028003.tif 000009
【図９】
0006028003.tif 000010
【図１０】
0006028003.tif 000011
【図１１】
0006028003.tif 000012
【図１２】
0006028003.tif 000013